(57)【要約】【課題】和装をした際に手回り品を好適に携帯して所持するための和装用の手回り品収容袋を提供すること。【解決手段】和装をした際に手回り品を携帯して所持するため、着物の帯の部分に取り付けられる和装用の手回り品収容袋であって、上部が開口する袋本体１０と、袋本体１０の上部に、接続部２２を介して取り付けられ、着用された着物６０と帯５０との重なる部分に上方から差し込み可能に設けられた差込部材２０と、袋本体１０の差込部材２０の取り付け位置より下側に、帯締め５２を通すように設けられた帯締め通し部３０とを具備する。【選択図】  図１
2006081897.tif 000002
【特許請求の範囲】
【請求項１】
和装をした際に手回り品を携帯して所持するため、着物の帯の部分に取り付けられる和装用の手回り品収容袋であって、
上部が開口する袋本体と、
該袋本体の上部に、接続部を介して取り付けられ、着用された着物と帯との重なる部分に上方から差し込み可能に設けられた差込部材と、
前記袋本体の前記差込部材の取り付け位置より下側に、帯締めを通すように設けられた帯締め通し部とを具備することを特徴とする和装用の手回り品収容袋。
【請求項２】
和装をした際に手回り品を携帯して所持するため、着物の帯の部分に取り付けられる和装用の手回り品収容袋であって、
上部が開口する袋本体と、
該袋本体の上部に、接続部を介して取り付けられ、着用された着物と帯との重なる部分に上方から差し込み可能に設けられた差込部材と、
前記袋本体の前記差込部材の取り付け位置より下側に、帯を通すように設けられた帯通し部とを具備することを特徴とする和装用の手回り品収容袋。
【請求項３】
前記帯締め通し部又は前記帯通し部が、連結手段によって開閉可能なループ状に設けられていることを特徴とする請求項１又は２記載の和装用の手回り品収容袋。
【請求項４】
前記連結手段が、面ファスナーであることを特徴とする請求項３記載の和装用の手回り品収容袋。
【請求項５】
前記差込部材の接続部と、前記帯締め通し部又は前記帯通し部とが、前記袋本体の帯に接する生地の側に設けられていることを特徴とする請求項１、２、３又は４記載の和装用の手回り品収容袋。
【請求項６】
前記差込部材がへら状に形成されていることを特徴とする請求項１、２、３、４又は５記載の和装用の手回り品収容袋。
【請求項７】
前記袋本体には、袋本体の開口を実質的に開閉する開閉手段が設けられていることを特徴とする請求項１、２、３、４、５又は６記載の和装用の手回り品収容袋。
【発明の詳細な説明】
【技術分野】
【０００１】
本発明は、和装をした際に手回り品を携帯して所持するため、着物の帯の部分に取り付けられる和装用の手回り品収容袋に関する。
【背景技術】
【０００２】
和装をすると、和服（以下「着物」とも言う）には洋服のようなポケットがないため、貴重品を含む小物（手回り品）を和装用のバッグに入れて所持している。特に女性の着物は袖が開いており、袖の中に品物を入れることができない。そのため、通常、紙のような薄手の物以外の手回り品は、和装用のバッグの中に入れて所持している。なお、和服の帯の内側に、開閉手段によって開閉される貴重品収納用袋を設けたものが提案されている（特許文献１参照）。
【特許文献１】実開平０６−３３９２６号公報（第１頁）
【発明の開示】
【発明が解決しようとする課題】
【０００３】
近年、携帯電話が普及したが、携帯電話は所定の厚さと重量を有する。このため、和装をした場合は、和装用のバッグに入れて置くしかなかった。しかし、バッグは常に携帯できない場面があり、携帯電話を携帯できないという問題が生じる。この携帯電話に限らず、眼鏡等の手回り品についても、和装をした際には好適に携帯できないという課題がある。
そこで本発明の目的は、和装をした際に手回り品を好適に携帯して所持するための和装用の手回り品収容袋を提供することにある。
【課題を解決するための手段】
【０００４】
本発明は、上記目的を達成するために次の構成を備える。
本発明に係る和装用の手回り品収容袋の一形態によれば、和装をした際に手回り品を携帯して所持するため、着物の帯の部分に取り付けられる和装用の手回り品収容袋であって、上部が開口する袋本体と、該袋本体の上部に、接続部を介して取り付けられ、着用された着物と帯との重なる部分に上方から差し込み可能に設けられた差込部材と、前記袋本体の前記差込部材の取り付け位置より下側に、帯締めを通すように設けられた帯締め通し部とを具備することを特徴とする。
【０００５】
また、本発明に係る和装用の手回り品収容袋の一形態によれば、和装をした際に手回り品を携帯して所持するため、着物の帯の部分に取り付けられる和装用の手回り品収容袋であって、上部が開口する袋本体と、該袋本体の上部に、接続部を介して取り付けられ、着用された着物と帯との重なる部分に上方から差し込み可能に設けられた差込部材と、前記袋本体の前記差込部材の取り付け位置より下側に、帯を通すように設けられた帯通し部とを具備することを特徴とする。
また、本発明に係る和装用の手回り品収容袋の一形態によれば、前記帯締め通し部又は前記帯通し部が、連結手段によって開閉可能なループ状に設けられていることを特徴とすることができる。
また、本発明に係る和装用の手回り品収容袋の一形態によれば、前記連結手段が、面ファスナーであることを特徴とすることができる。
【０００６】
また、本発明に係る和装用の手回り品収容袋の一形態によれば、前記差込部材の接続部と、前記帯締め通し部又は前記帯通し部とが、前記袋本体の帯に接する生地の側に設けられていることを特徴とすることができる。
また、本発明に係る和装用の手回り品収容袋の一形態によれば、前記差込部材がへら状に形成されていることを特徴とすることができる。
また、本発明に係る和装用の手回り品収容袋の一形態によれば、前記袋本体には、袋本体の開口を実質的に開閉する開閉手段が設けられていることを特徴とすることができる。
【発明の効果】
【０００７】
本発明の和装用の手回り品収容袋によれば、袋本体を、差込部材と帯締め通し部又は帯通し部とによって、着物の帯の部分に好適に取り付けることができる。従って、和装をした際にも、手回り品を好適に収容した状態で携帯して所持することができる。
【発明を実施するための最良の形態】
【０００８】
以下、本発明の和装用の手回り品収容袋に係る最良の形態の一例を添付図面（図１〜３）と共に詳細に説明する。図１は本発明に係る和装用の手回り品収容袋の使用状態を示す側面図（着物の部分は断面）である。携帯電話７０（破線）が収容された状態を示している。図２は本発明に係る和装用の手回り品収容袋の背面側斜視図である。また、図３は本発明に係る和装用の手回り品収容袋の正面側斜視図である。
【０００９】
１０は袋本体であり、上部が開口している。上部が開口するとは、収容される物を出し入れすることが可能になっていることである。従って、その開口１４は、開閉手段によって開閉可能になっていても良いし、単に開放されていても良い。
本形態では、袋本体１０の開口１４が所定以上開くことを防止するために止め手段が設けられている。詳細には、紐４０が、袋本体１０の上端部で且つ着物の帯に接する生地の側に取り付けられている。この紐４０の先端部４１が、輪状に結ばれており、袋本体１０の前面１１に取り付けられた係止部１５に掛け止められる。本形態の係止部１５は、大きめのビーズを糸で固定して設けられている。この止め手段としては、これに限定されるものではなく、例えば、紐４０に代えて帯状の部材を用いても良いし、係止部１５にはボタンやホックなどの係合手段を用いることができる。
【００１０】
また、以上に説明した止め手段は、袋本体１０の開口１４を実質的に開閉する開閉手段と言うこともできる。開閉手段には、図に示した止め手段からなる形態のように開口１４の一部を覆うものであっても良いし、開口１４の全面を覆うものであっても良い。例えば、袋本体１０を巾着の形状とし、袋の上端部の紐通しに通された紐でくくる形態としても良い。または、開口１４を覆う蓋状の部材を設け、ボタン、ホック、ファスナー、面ファスナー等で開閉するようにしても良い。
【００１１】
２０は差込部材である。この差込部材２０は、袋本体１０の帯５２に接する生地の側で且つ上部に、実質的に上下に折り返し可能な接続部２２を介して取り付けられ、着用された着物６０と帯５０との重なる部分に上方から差し込み可能に設けられている。本形態では、袋本体１０の後ろ側（帯に接する側の生地）の上端で巾方向の中央部１３に、布で細い帯状に形成された部材がループ状になるように、縫い付けられて接続部２２が設けられている。
また、接続部２２は、図に示すように上端の中央部１３から外側上方へ延出する形態であり、その接続部２２のループの先端にあたる部分に、差込部材２０が取り付けられている。差込部材２０の一端に孔２１（図２参照）があいており、その孔２１に接続部２２の細い帯が通されることで取り付けられている。なお、この接続部２２は好適に折り返すために十分な長さを備えている。また、接続部２２が袋本体１０に縫い付けられている位置は、袋本体１０の帯５０に接する側の生地の内側でも外側でも良い。
【００１２】
本形態では、差込部材２０が、へら状に形成されたへら状部材となっている。これによれば、薄いため、帯に容易に差し込むことができる。また、幅があるため、抵抗が生じ、差し込まれた位置で安定し易い。さらに、へら状部材の先端側の幅が広いことで、抜けにくい形態になっている。なお、本形態のへら状部材は、袴の帯を結ぶ際に使用されるものを流用したものである。
【００１３】
また、この差込部材２０はへら状に限定されるものではなく、例えば、棒状であっても良い。所定の硬度を有し、厚さが一定以下などの条件を満たせば、形状は限定されない。また、複数あっても良い。
また、接続部２２も、本形態に限定されるものではなく、例えば、チェーン状であっても良いし、単なる紐で連結するようにしても良い。袋本体１０と差込部材２０とを連結し、望ましくは曲げることができるものであれば良い。つまり、接続部２２としては、一端が袋本体１０の上部（本形態では上端部）に固定され、他端に差込部材２０が固定されるものであって、柔軟性の有るものを採用することができる。
なお、接続部２２自体が折り返しのできないものであっても、差込部材２０と接続部２２との連結部で、差込部材２０が下方に回動できるように構成されていてもよい。これによっても、一定の自由度をもって差込部材２０を上方から差し込むことができる。さらに、差込部材２０の差し込まれる部分が最初から下方を向いて設けられており、その差込部材２０の一部である袋本体１０との連結部が接続部２２を構成していてもよい。この場合でも、袋本体１０の上側を着物の帯５０の部分に好適に固定できる。
【００１４】
３０は帯締め通し部である。この帯締め通し部３０は、袋本体１０の着物６０の帯５０に接する面１２で且つ差込部材２０の取り付け位置より下側に、帯締め５２を通すように設けられている。本形態では、布で細い帯状に形成された部材を、袋本体１０の背面上に糸で縫い付けて帯締め通し部３０を設けてある。上下の端部が縫い付けられており、ズボンのバンド通しと同様の形態となっている。
この帯締め通し部３０の形態はこれに限定されるものではなく、帯締め５２を通すことができれば単なる紐のようなものでも良い。また、袋本体１０の生地に２本のスリットを平行に形成することによっても帯締め通し部を形成できる。
【００１５】
本発明の和装用の手回り品収容袋は、前提として和装をした場合に使用されるものである。特に女性用の和服の幅の広い帯５０と帯締め５２とを好適に利用して取り付けることができる袋となっている。以下に、本形態の使用方法について説明する。
先ず、差込部材２０が、着用された着物６０と帯５０との重なった部分に差し込まれることで、袋本体１０を上側で固定する。接続部２２が袋本体１０の上部に固定されているから、その接続部２２を介して袋本体１０を好適に吊り下げることができる。そして、帯締め通し部３０に帯締め５２が通されることで、袋本体１０を相対的に下側で固定する。このように、本形態の和装用の手回り品収容袋は、上下の２箇所で固定されるから安定的である。収納物を入れてもぶらぶらすることがなく、開口１４が下を向くことを防止できる。また、差込部材２０や帯締め通し部３０が裏に隠れるため、外観上も良い。さらに、帯に一体に固定されるものではなく、着物を着た後に取り付けるものであり、複数の帯に共用できる。
【００１６】
そして、以上に説明した取り付け方法によれば、差込部材２０は挟まれているだけの状態であり、帯締め通し部３０には帯締め５２が挿通されているだけの状態である。そのため、この和装用の手回り品収容袋（袋本体１０）を、帯５０の長手方向に沿ってスライドさせ、容易に移動させることができる。
従って、使用者は、袋本体１０の位置を所望の位置に容易に取り付けることができる。また、一旦、帯５０の部分に取り付けた後でも、袋本体１０の位置を容易に変更できる。例えば、袋本体１０が前にあると邪魔になる場合は、簡単に、脇の方へずらすことが可能である。
また、本形態によれば、紐４０を係止部１５に掛けることによる止め手段を介して、袋本体１０の表側の生地と帯５０に接する側の生地との間が実質的に連結されて閉じる状態となる。これにより、例えば携帯電話７０等の収納物が飛び出すことを好適に防止できる。つまり、収納物が落ちる心配のないように、好適に保持、収納できる。
【００１７】
また、本発明の接続部２２及び帯締め通し部３０にかかる形態及び取り付け位置は、以上に説明した形態に限定されるものではない。
例えば、袋本体１０の上端両側部のそれぞれに各端が取り付けられた紐状の部材を、接続部２２とすることができる。その紐状の部材が袋本体１０の幅よりも長ければ、その中途部に差込部材２０を取り付けることで、本形態と同等の効果を得ることができる。
また、帯締め通し部３０を、袋本体１０の両側部（両脇）のそれぞれに紐状の部材で形成してもよい。これによれば、袋本体１０に一対の帯締め通し部３０が形成されることになり、その双方に帯締め５２が通されることで、袋本体１０を安定的に固定できる。
この紐状の部材で設けられた接続部２２及び帯締め通し部３０によれば、どちらも袋本体１０の両脇の部分に取り付けられる。このため、袋本体１０の表裏がないリバーシブルタイプの和装用の手回り品収容袋を提供できる。
【００１８】
次に、他の実施の形態例について、図４に基づいて説明する。この和装用の手回り品収容袋においても、前述した袋本体１０と差込部材２０とを備える。
３０ａは帯通し部であり、特に男性の着物の帯に対応して、袋本体１０の差込部材２０の取り付け位置より下側に、帯を通すように設けられている。
この帯通し部３０ａは、連結手段によって開閉可能なループ状に設けられている。本形態の連結手段は、面ファスナー３１になっている。この連結手段としては、これに限定されるものではなく、例えば、ボタンやバックル状の連結構造などであってもよい。
これによれば、前述した和装用の手回り品収容袋と同等の機能を有すると共に、帯通し部３０ａが開閉可能となっているため簡単に装着できる利点がある。つまり、帯を締めた後でも容易に装着できる。特に男性の着物の場合には帯締めを用いないため効果的である。
なお、本形態の袋本体１０の開口１４を開閉する開閉手段は、開口１４を覆う蓋状の部材と面ファスナーとで構成されている。
【００１９】
以上、本発明につき好適な実施の形態を挙げて種々説明してきたが、本発明はこの実施の形態に限定されるものではなく、発明の精神を逸脱しない範囲内で多くの改変を施し得るのは勿論のことである。例えば、袋本体等の各要素を構成する布地等の材料上の模様は種々選択可能であって限定されるものではない。
【図面の簡単な説明】
【００２０】
【図１】本発明に係る和装用の手回り品収容袋の使用状態を示す側面図である。
【図２】本発明に係る和装用の手回り品収容袋の背面側斜視図である。
【図３】本発明に係る和装用の手回り品収容袋の正面側斜視図である。
【図４】本発明に係る和装用の手回り品収容袋の他の形態を示す側面図である。
【符号の説明】
【００２１】
１０  袋本体
１５  係止部
２０  差込部材
２２  接続部
３０  帯締め通し部
３０ａ  帯通し部
３１  面ファスナー
４０  紐
５０  帯
５２  帯締め
６０  着物
７０  携帯電話
【図１】
2006081897.tif 000003
【図２】
2006081897.tif 000004
【図３】
2006081897.tif 000005
【図４】
2006081897.tif 000006